(57)【要約】      （修正有）【課題】  複数のメモリーカードを収容するだけではなく、異なる種類のメモリーカードを収容するメモリーカードコネクタを提供。【解決手段】メモリカードコネクタが下側絶縁性ハウジング部を含み、該ハウジング部は、端子取り付けベースと該ベースの両側から前方に延在する一対の側壁部とを備えている。上側絶縁性ハウジング部は、下側ハウジング部の上部に取り付けられており、端子取り付けルーフを備えている。カード位置決めプレートは、その両側部において下側ハウジング部の側壁部に接続されており、該側壁部とともにプレートの下側に第１のカード収容空間を画定している。カード位置決めプレートは、上側ハウジング部のルーフから離間しており、これとともに、プレートの上側に第２のカード収容空間を画定している。【選択図】図１３
2005050792.tif 000002
【特許請求の範囲】
【請求項１】
端子取り付けベース（３８ａ）と該ベースの両側部から前方に延在する一対の側壁部（３８ｂ、３８ｃ）とを備えた下側絶縁性ハウジング部（３８）と、
前記下側ハウジング部の上部に取り付けられ、端子取り付けルーフ（１０４）を備える上側絶縁性ハウジング部（１０２）と、
カード位置決めプレート（４８）であって、その両側部において下側ハウジング部（３８）の側壁部に接続され、該側壁部とともにプレートの下側に第１のカード収容空間（４６）を画定し、前記上側ハウジング部のルーフから離間し、該ルーフとともに第２のカード収容空間（１１６）を画定するカード位置決めプレート（４８）とを有するメモリカードコネクタ。
【請求項２】
下側ハウジング部（３８）の端子取り付けベースは、第１のカード収容空間（４６）に挿入された第１のメモリカード（６２、６４）の適切な端子（６３、６５）に係合することができるように、ハウジング（３８）の側壁部（３８ｂ、３８ｃ）間においてその上部に一群の端子（４２、４４）を支持するベースプレート（３８ａ）を含む、請求項１に記載のメモリカードコネクタ。
【請求項３】
上側ハウジング部（１０２）の前記端子取り付けルーフ（１０４）は、第２のカード収容空間（１１６）に挿入された第２のメモリカード（６０）の適切な端子（６１）と係合する第２群の端子（４０）を支持する、請求項２に記載のメモリカードコネクタ。
【請求項４】
前記ベースプレート（３８ａ）は、２種類のメモリカード（６２、６４）の適切な端子（６３、６５）と係合する２種類の端子群（４２、４４）を支持する、請求項２に記載のメモリカードコネクタ。
【請求項５】
上側ハウジング部（１０２）の前記端子取り付けルーフ（１０４）は、第２のカード収容空間（１１６）に挿入された第３のメモリカード（６０）の適切な端子（６１）と係合する第３群の端子（４０）を支持する、請求項４に記載のメモリカードコネクタ。
【請求項６】
前記カード位置決めプレート（４８）が、その両側部において下側ハウジング部（３８）の側壁部（３８ｂ、３８ｃ）に枢動可能に取り付けられている、請求項１に記載のメモリカードコネクタ。
【請求項７】
前記カード位置決めプレート（４８）は、該プレートの両側部からハウジング（３８）の側壁部（３８ｂ、３８ｃ）の一対の枢支ノッチ（５０、７３）内に突出する一対の枢支ポスト（４８ａ）を含む、請求項６に記載のメモリカードコネクタ。
【請求項８】
前記枢支ノッチ（５０、７３）は、カード位置決めプレート（４８）を横断する方向に延在し、これにより、該プレートはハウジングに対して枢動するだけでなく、全体的に前記横断する方向に移動する、請求項７に記載のメモリカードコネクタ。
【請求項９】
上側ハウジング部（１０２）を包囲し、下側ハウジング部の上に上側ハウジング部を保持するために下側ハウジング部（３８）に取り付けられたカバー（５８）を含む、請求項１に記載のメモリカードコネクタ。
【請求項１０】
前記カバー（５８）は、コネクタにシールドを提供するように金属材料で形成されている、請求項９に記載のメモリカードコネクタ。
【請求項１１】
下側ハウジング部（３８）の一方の側壁部（３８ｂ）にカードエジェクタ機構（６６）を含み、該エジェクタ機構は、移動可能なスライド部材（６７）を含み、カード位置決めプレート（４８）は、スライド部材と一緒に移動するために該スライド部材に結合されており、これにより、カード位置決めプレートはカードエジェクタプレートとして機能することができる、請求項１に記載のメモリカードコネクタ。
【発明の詳細な説明】
【技術分野】
【０００１】
本発明は、一般に電気コネクタの技術分野に関し、詳細には、単に複数のメモリカードを収容するというだけでなく、異なる種類のカードを収容するための複数のポート、すなわち、カード収容空間を有するメモリカードコネクタに関する。
【背景技術】
【０００２】
メモリカードは、当技術分野で知られており、情報をメモリ回路又は他の電子プログラムの形で含む。幾つかの形式のカード読み取り装置により、カード上に記憶された情報又は記憶を読み取る。そのようなカードは、今日の電子社会において、ビデオカメラ、デジタルスチルカメラ、スマートフォン、ＰＤＡ、音楽プレーヤ、ＡＴＭ、ケーブルテレビデコーダ、玩（がん）具、ゲーム機、ＰＣアダプタ、マルチメディアカード、及び、他の電子アプリケーション等の多くの用途に使用されている。一般に、メモリカードは、カードコネクタを介してカード読み取りシステム、次に、外部装置に接続するための接点又は端子のアレイを含む。コネクタは、カード上の情報及びプログラムに迅速にアクセスするために行われるカードの抜き差しに容易に対応する。カードコネクタは、メモリカードの接点アレイと柔軟に係合する端子を含む。
【０００３】
典型的なメモリカードコネクタは、金属シェルで覆われた、何らかの形態の絶縁性ハウジングを有している。金属シェルはシートメタル材料から打ち抜き成形され、実質的に箱形状に成形される。金属シェルとハウジングとを組み合わせることによってカード収容キャビティが画定される。該キャビティの一端が開口してカード挿入口を形成している。絶縁性ハウジングは、一般に、Ｌ字状又はＵ字状に形成されており、キャビティの後部に後方端子取り付け部を備えている。そして、キャビティの一側又は両側において、後方端子取り付け部の一端或いは両端から長手方向側壁部が前方に延在している。コネクタの接点、すなわち、端子が後方端子取り付け部に取り付けられている。金属シェルの頂部プレートは絶縁性ハウジングを実質的に覆い、側部プレートが下方に延在してハウジングの側壁部を覆っている。金属シェルの側部プレート及び／又はハウジングの側壁部が、カード収容キャビティの側部を画定している。
【０００４】
メモリカードコネクタは、プリント回路基板の上面に実装される場合が多く、端子のはんだ付けテール部が、リフローはんだ付けプロセスによって基板の適切な回路トレースに接続される。コネクタは、ハウジングのカード収容キャビティからのメモリカードの排出を容易にするために、何らかの形態のエジェクタ機構を含んでいる場合が多い。多くの場合、エジェクタ機構は、Ｌ字状又はＵ字状のハウジングの一方の側壁部に取り付けられる。
【０００５】
図１は、従来技術による上記したようなメモリカードコネクタを示し、その全体が２６で示されている。このコネクタは、全体を２８で示す絶縁性ハウジングを有しており、該ハウジングは、後方端子取り付け部２８ａと、この後方端子取り付け部の両端から前方に延在する一対の側壁部２８ｂ及び２８ｃを備え、矢印Ａの方向に差し込まれたメモリカードを収容するための収容空間３０を画定している。全体を３２で示す複数の導電端子がハウジング２８の後方端子取り付け部２８ａに取り付けられている。ハウジングはプリント回路基板に取り付けるように適合されており、端子は、プリント回路基板上の適切な回路トレースに電気的に接続するためのテール部３２ａを備えている。全体を３４で示すエジェクタ機構が側壁部２８ｃに取り付けられている。このエジェクタ機構は、収容空間３０からのメモリカードの排出を容易にするために、両頭矢印Ｂの方向に往復動可能なエジェクタアーム３４ａを備えている。金属シールド、すなわち、カバー（不図示）をハウジング２８の上部を覆うように取り付けることもできる。カバーは、ハウジングの側壁部２８ｂ及び２８ｃの間に亘（わた）って広がる上部壁を備えている。したがって、カバーの上部壁とハウジングの側壁部は、ハウジングの後方部２８ａとともに、プリント回路基板上方の収容空間３０に対応する、実質的に包囲されたカード収容キャビティを画定する。
【発明の開示】
【発明が解決しようとする課題】
【０００６】
図１の従来技術によるコネクタに関連して上に述べた従来のメモリカードコネクタは、単一のメモリカードを収容するための単一のカード収容空間３０を有する。本発明は、複数のポート、すなわち、複数のカード収容空間を有するメモリカードコネクタを提供することを目的とする。複数のポート、すなわち、収容空間は、単に複数のメモリカードを収容するだけでなく、異なる種類のメモリカードを収容する。
【課題を解決するための手段】
【０００７】
したがって、本発明の目的は、上に述べた種類の新規で改善されたメモリカードコネクタを提供することである。
【０００８】
本発明の例示的な実施形態では、メモリカードコネクタは、端子取り付けベースと、該ベースの両側から前方に延在する一対の側壁部とを備えた下側絶縁性ハウジング部を有している。上側絶縁性ハウジング部が、下側ハウジング部の上部に取り付けられているとともに、端子取り付けルーフを有する。カード位置決めプレートが、その両側部において下側ハウジング部の側壁部に接続されており、該側壁部とともにプレートの下側に第１のカード収容空間を画定している。カード位置決めプレートは、上側ハウジング部のルーフから離間しており、該ルーフとともにプレートの上方に第２のカード収容空間を画定している。
【０００９】
本発明の一形態によると、下側ハウジング部の端子取り付けベースは、ハウジングの側壁部間において第１群の端子を支持するベースプレートを含み、この端子が、第１のカード収容空間に挿入された第１のメモリカードの適切な端子と係合する。上側ハウジング部の端子取り付けルーフは、第２のカード収容空間に挿入された第２のメモリカードの適切な端子と係合する第２群の端子を支持している。本明細書に記載のように、第１のハウジング部のベースプレートは、２種類のメモリカードの適切な端子と係合する２種類の端子群を支持している。
【００１０】
本発明の別の形態によると、カード位置決めプレートが、その両側部においてハウジングの側壁部に枢動可能に取り付けられている。具体的には、プレートの両側部から一対の枢支ボスが突出しており、該枢支ボスが、ハウジングの側壁部に形成された一対の枢支ノッチにそれぞれ係入している。該枢支ノッチは、カード位置決めプレートを横断する方向に延びており、これにより、プレートはハウジングに対して枢動するだけでなく、全体的に横断方向に移動する。
【００１１】
本発明の更に別の形態によると、カバーが、上側ハウジング部を包囲するとともに、ハウジングの下部の上に上部を保持するために下側ハウジング部に取り付けられている。好ましい実施形態においては、カバーは金属材料で形成され、コネクタのシールドとして提供される。
【００１２】
本発明の別の特徴は、下側ハウジング部の一方の側壁部にカードエジェクタ機構が設けられていることである。該エジェクタ機構は移動可能なスライド部材を有し、カード位置決めプレートは、スライド部材と一緒に移動するためにスライド部材に結合されており、これにより、カード位置決めプレートはカードエジェクタプレートとして機能することができる。
【００１３】
本発明のその他の目的、特徴及び利点は、添付図面と関連して行われる以下の詳細な記載から明らかになるであろう。
【００１４】
新規であると考えられる本発明の特徴は、添付の特許請求の範囲において詳細に記載されている。本発明は、その目的及び利点とともに、添付図面と関連して行われる以下の説明を参照することによって最もよく理解されるであろう。全図面に亘り、同一の参照符号は同一の要素を示す。
【発明を実施するための最良の形態】
【００１５】
図面をより詳細に参照して説明を行う。最初に図２〜４を参照すると、全体を３６（図４）で示すメモリカードコネクタの第１実施形態は、全体を３８で示す絶縁性ハウジングを含む。該ハウジングは、一対の側壁部３８ｂ及び３８ｃの間に広がったベースプレート３８ａを含む。ハウジングは絶縁性のプラスチック材料から成形されている。全体を４０で示す第１群の導電端子、全体を４２で示す第２群の導電端子、及び、全体を４４で示す第３群の導電端子はすべて、ハウジングのベースプレート３８ａ上に３列に取り付けられている。図２から明らかなように、これらの３群の端子は、ベースプレートを横切って直線状の列を構成するように配置されており、第１群４０がコネクタの後部に位置し、第３群４４がコネクタの前部に位置し、第２群４２が第１群と第３群の間で列を構成している。第１群の端子は複数の個別の端子４０ａを備え、第２群の端子は複数の個別の端子４２ａを備え、第３群の端子は複数の個別の端子４４ａを備えている。すべての端子は，導電性のシートメタル材料から打ち抜き成形することができる。
【００１６】
絶縁性ハウジング３８は、ベースプレート３８ａの上側で、かつ、側壁部３８ｂ及び３８ｃの間に、全体を４６で示すカード収容空間を画定している。端子４０ａは接触部４０ｂを備え、端子４２ａは接触部４２ｂを備え、端子４４ａは接触部４４ｂを備えている。これらの接触部はすべて、以下の説明から分かるように、異なる種類のメモリカード上の接点と係合するために、露出、すなわち、カード収容空間４６に向けて上方に曲げられている。
【００１７】
絶縁性ハウジング３８は、プリント回路基板上に取り付けるように適合されている。端子４０ａはテール部４０ｃ（図３）を備え、端子４２ａはテール部４２ｃを備え、端子４４ａはテール部４４ｃを備えている。端子のテール部は、はんだ付け等によって、プリント回路基板上の適切な回路トレースに接続される。
【００１８】
引き続き図２〜４を参照すると、全体を４８で示すカード位置決めプレートは、プレートの両側縁から外方に突出する一対の枢支ポスト４８ａを備えている。該枢支ポストは、絶縁性ハウジングの側壁部３８ｂ及び３８ｃの一対の枢支ノッチ５０内に位置決めすることができる。これにより、位置決めプレートは、カード収容空間４６の上方に位置するようにハウジングに枢動可能に取り付けられる。すなわち、カード収容空間の下側は、ハウジングのベースプレート３８ａによって画定されるとともに、カード収容空間の上側は位置決めプレート４８によって画定され、これにより、メモリカードは、ベースプレートと位置決めプレートとの間に入るようにコネクタに差し込まれる。プレートの両側部、すなわち、縁に一対の案内レール５１が設けられている。図３から最も良く分かるように、位置決めプレートの下側には、第１のストッパ要素５４、一対の第２のストッパ要素５５及び第３のストッパ要素５６が設けられている。プレートはプラスチック材料から成形することができる。
【００１９】
枢支ノッチ５０は垂直方向に延びている、すなわち、カード位置決めプレートを横断する方向に延びている。したがって、プレートは枢動するだけでなく、全体的に横断方向に移動する。
【００２０】
以下の説明から分かるように、コネクタはエジェクタ機構を含み、カード位置決めプレート４８はエジェクタプレートとして機能する。これらの実施形態においては、第１のストッパ要素５４、第２のストッパ要素５５及び第３のストッパ要素５６のすべてが、異なる種類のメモリカードのエジェクタ要素となる。
【００２１】
引き続き図２〜４を参照すると、全体を５８で示す金属性のカバーは、頂部プレート５８ａと複数の下方に延びる側壁５８ｂを含む。カバーはシートメタル材料から打ち抜き成形され、図４に示すように、カバーがハウジング３８上に位置決めされると遮蔽（へい）シェルを形成する。カバーの側壁は複数の係止開口部５８ｃを含み、ハウジングの側壁部３８ｂ及び３８ｃの外側から突出する複数の面取りした係止ボス５９とスナップ係合する。これにより、図４に示すように、カバーがハウジングに係止される。最後に、金属製の頂部カバーは、内側、すなわち、下側に曲げられたスプリング付勢フランジ５８ｄを備えており、該フランジ５８ｄは、カード位置決めプレート４８の上面に前縁４８ｂの近傍において付勢力によって係合する。すなわち、スプリング付勢フランジ５８ｄは、位置決めプレートの上面の前側部分と係合して、位置決めプレートの枢支ポスト４８ａを中心としてプレートを下方に枢動させる。これにより、メモリカードがカード収容空間４６に挿入されると、カードが下方に付勢され、カードの接点が押されて、端子群４０、４２又は４４の内の何れかと係合する。
【００２２】
枢支ノッチ５０内において、枢支ポスト４８ａが枢動可能で、かつ、垂直方向に移動可能であるため、カード位置決めプレート４８がハウジング３８に対して枢動可能／移動可能に取り付けられ、このため、コネクタに異なる厚さのメモリカードを収容することができる。すなわち、特定のメモリカードがカード収容空間４６に差し込まれると、頂部カバー５８のスプリング付勢フランジ５８ｄが、プレートをカードの上面に当たるまで押し下げる。カードが比較的厚い場合、該カードは、スプリング付勢フランジに抗してプレートを上方に付勢することができる。カードが比較的薄い場合、スプリング付勢フランジは、プレートをカードに当たるまで効果的に押し下げ、カードの接点を押して、ハウジング３８のベースプレート３８ａに取り付けられた適切な端子と係合する。
【００２３】
図５Ａ及び５Ｂは、カード位置決めプレート４８に矢印Ｃの方向（図５Ａ）で差し込まれたＭＳ型メモリカードを示し、その全体が６０で示されている。完全に差し込まれると、図５Ｂに示すように、カード６０の前縁６０ａが位置決めプレートの第１のストッパ要素５４に係合する。これにより、図２に最もよく分かるように、カードの下側に設けられた接点６１が、コネクタハウジング３８のベースプレート３８ａの後部に設けられた第１群の端子４０と係合するための適切な位置に位置決めされる。
【００２４】
図６Ａ及び６Ｂは、カード位置決めプレート４８に矢印Ｄの方向（図６Ａ）で差し込まれたＳＤ型メモリカードを示し、その全体が６２で示されている。完全に差し込まれると、図６Ｂに示すように、カード６２の前縁６２ａが第２のストッパ要素５５に当接する。これにより、カードの下側に設けられた接点６３が、ハウジング３８のベースプレート３８ａに設けられた第２群の端子４２と係合するための適切な位置に位置決めされる。
【００２５】
図７Ａ及び７Ｂは、カード位置決めプレート４８に矢印Ｅの方向（図７Ａ）で差し込まれたＸＤ型メモリカードを示し、その全体が６４で示されている。完全に差し込まれると、カードの前縁６４ａが第３のストッパ要素５６に係合する。これにより、カードの下側に設けられた接点６５が、ハウジング３８のベースプレート３８ａに設けられた第３群の端子４４と係合するための適切な位置に位置決めされる。
【００２６】
ＭＳ型、ＳＤ型及びＸＤ型メモリカードは、産業界で使用されている異なる標準的なメモリカードである。これらのカードは、寸法、構成、及び、端子の数と間隔とが相違する。
【００２７】
図８及び９は、本発明の第２実施形態を示し、第１実施形態に関して上に述べた要素と同一あるいは同様の部品は、可能な範囲で同一の参照符号を付す。第２実施形態は、全体を６６で示すカードエジェクタ機構を含み、該エジェクタ機構は、ハウジング３８の側壁部３８ｂの外側に形成された凹部６８内に摺（しゅう）動可能に取り付けられている。エジェクタ機構は、案内部材６９と、コイルスプリング７０によってばね荷重が加えられたエジェクタ要素、すなわち、スライド部材６７とを含む。案内部材は湾曲したカム溝７１と係合している。枢支ノッチ７２がエジェクタ要素６７の上面に形成されている。カード位置決めプレート４８の一方の枢支ポスト４８ａが枢支ノッチ７２内に位置決めされ、位置決めプレートの反対側の枢支ポストが、ハウジングの側壁部３８ｃの内側に設けられた細長の凹部７３に摺動可能に位置決めされている。案内部材６９の前端部は側壁部３８ｂに固定され、案内部材の反対側の端部はカム溝７１に係入している。案内部材は、カードの挿入とカードの排出のためにそれぞれに湾曲したカム溝の２つの部分で移動する。カード位置決めプレート４８の一方の枢支ポスト４８ａは、エジェクタ要素、すなわち、スライド部材６７のノッチ７２内に位置決めされているため、位置決めプレートはエジェクタ要素と一緒に移動する。したがって、本発明の第２実施形態では、位置決めプレート４８が動作可能なエジェクタプレートとなる。
【００２８】
図１０〜１２を参照すると、カード位置決め／エジェクタプレート４８が、エジェクタ機構６６のエジェクタ要素６７と一緒に摺動可能である。オペレータが、メモリカード６０、６２又は６４の内の１枚をカード収容空間４６に差し込むと、メモリカードが、プレート上の対応するストッパ要素５４、５５又は５６に係合し、これにより、プレートを動かし、エジェクタ機構６６のエジェクタ要素６７を後方に摺動させる。カード６０、６２又は６４がコネクタ内に完全に差し込まれると、カード位置決めプレート４８上のストッパ要素が、それぞれのカードの接点を対応する端子群４０、４２、又は４４と位置合わせする。この動作の間、エジェクタ機構６６の案内部材６９はカム溝７１内で移動し、カードを完全に差し込んだ位置に保持する。ユーザがそれぞれのメモリカードを排出することを望む場合、ユーザはカードをもう一度押す。これにより、コイルスプリング７０が、エジェクタ要素６８、エジェクタプレート４８及びそれぞれのメモリカードをコネクタの外方に向けて後退させる。このようなプッシュ・プッシュ式のエジェクタ機構は当技術分野で公知であり、カム溝７１は事実上、ハート型に構成されている。
【００２９】
図１３〜１５は、異なる種類の複数のメモリカードを収容するためにメモリカードコネクタが複数のポート、すなわち、カード収容空間を含む本発明の実施形態を示す。この場合も、前述の実施形態で記載した要素には、可能な範囲で同一の参照符号を付した。
【００３０】
これらの理解の下で説明を行うと、図１３〜１５の実施形態のハウジングは２部構造である。詳細に述べると、ハウジング３８は下側ハウジング部となっており、該下側ハウジング部の側壁部３８ｂに取り付けられたエジェクタ機構とともに、カード位置決めプレート４８を枢動可能に支持する。図１３〜１５の実施形態の相違点は、群４２の端子４２ａと群４４の端子４４ａのみがハウジングのベースプレート３８ａに取り付けられていることである。
【００３１】
全体を１０２で示す上側の絶縁性ハウジング部は、図１４に最も良く示すように、第１群４０の端子４０ａを下側に取り付けるルーフ１０４を有している。端子４０ａのテール部４０ｃは長尺にされており、プリント回路基板へ接続するために下側ハウジング部を通って下方に延在している。図１５に示すように、上側ハウジング部１０２は下側ハウジング部３８に取り付けられている。上側ハウジング部は一対の位置決めピン１０６と位置決めフランジ１０８を備えており、これらは、側壁部３８ｃの上面に形成された一対の位置決め孔（あな）１１０と位置決めスロット１１２内に位置決めされる。
【００３２】
図１３〜１５の実施形態におけるカバー５８の側壁５８ｂは、図１５に示すように、カバーを上側ハウジング部１０２の上部上に位置決めすることができ、かつ、カバーを下側ハウジング部３８に取り付けることができるように、長尺にされている。すなわち、カバーは上側ハウジング部を包囲するとともに、ハウジングの下部の上に上部を保持するために下側ハウジング部に取り付けられている。カバーは金属材料から作られているため、カバーはコネクタにシールドを提供する。
【００３３】
前述の実施形態で述べたように、カード位置決めプレート４８は、下側ハウジング部３８上に枢動可能に取り付けられているため、前述のように、カード収容空間４６（図１５）はＳＤ型メモリカード又はＸＤ型メモリカードを収容する。しかし、図１５に示すように、カード位置決めプレートは、上側ハウジング１０２のルーフ１０４から離間されて第２のカード収容空間１１６をプレートの上側に画定している。前記第２のカード収容空間は標準的なＭＳ型メモリカードを収容する。
【００３４】
図１６は、図２〜４に示した単一のスプリング付勢フランジに対して、一対のスプリング付勢フランジ５８ｂを含む金属性頂部カバー５８の実施形態を示しているに過ぎない。図１６の両方のスプリング付勢フランジ５８ｂも同様に動作して、カード位置決め／エジェクタプレート４８の前部上面に付勢力で係合する。
【００３５】
図１７〜１９は、カード位置決め／エジェクタプレート４８が、前側部分７６と後側部分７８とを含む２部構造である本発明の第５実施形態を示す。後側部分はＴ字状の係合部７８ａを備えており、該Ｔ字状係合部が、前側部分７６のＴ字状の係合ノッチ７６ａと係合する。この相互係合によって、後側部分が前側部分に対して枢動可能に取り付けられる。一方、本発明の前述の実施形態に関連して記載した目的のために、前側部分の両側部に枢支ポスト４８ａが設けられている。該枢支ポスト４８ａが第１の枢軸を画定し、係合ノッチ７６ａが、第１の枢軸のすぐ後ろ側の第２の枢軸を画定する。
【００３６】
図１７〜１９の２部構造のカード位置決め／エジェクタプレート４８の場合、メモリカード６０、６２又は６４がコネクタ内に差し込まれたとき、プレートの前側部分４８だけが上方に枢動する。前側部分だけが枢動するため、後側部分は金属製カバー５８の下方の固定位置に維持することができる。この結果、プレートの全体的な枢動空間が減少され、これにより、コネクタの総高さが減少する。この２部構造のプレートは、図２〜４に示した（すなわち、エジェクタ機構が設けられていない）第１実施形態に用いることもできる。
【００３７】
図２０及び２１は、カード位置決めプレート４８の前縁４８ｂに一対のキー係合スロット５２を設けた実施形態を示す。ＭＳ型メモリカード６０の下側には一対のキー係合リブ８０が設けられており、図２１に示す上下逆さまの向き等、間違った向きでメモリカードが差し込まれた場合、キー係合リブ８０がキー係合スロット５２に入り込む。メモリカードがコネクタの収容空間に間違った向きで差し込まれた場合、キー係合リブ８０が底に達して、キー係合スロット５２の底部に当接し、メモリカードが更に差し込まれてコネクタの端子を損傷してしまうことを阻止する。さらに、凹部８２のストッパ壁８１がプレート４８の前縁４８ｂに当接し、間違った向きのカードが収容空間に差し込まれることを阻止するであろう。カードが正しく差し込まれた場合には、通常、ストッパ壁８１はカードの下側に存在する。
【００３８】
あるいは、図２２は、絶縁性ハウジング３８に、全体を８４及び８５で示すストッパ、すなわち、阻止要素を設け得ることを示しており、ストッパ要素は、突起又はストッパリブ８４ａ及び８５ａをそれぞれ備えている。ＳＤ型メモリカード６２では、図６Ａ及び６Ｂに示したように、その下側の縁にキー係合溝が設けられている。ＸＤ型メモリカード６４では、図７Ａ及び７Ｂに示したように、キー係合溝８７が設けられている。
【００３９】
ＳＤ型メモリカード６２が、間違った向き、すなわち、図２３に示すように上下逆さまで差し込まれた場合、リブ８４ａがカードの前縁に当接して、この間違った向きでカードが差し込まれるのを阻止する。カード６２が正しい向きで差し込まれた場合、溝８６（図６Ａ及び６Ｂ）はリブに係合することなく通過し、カードが完全に差し込まれるのを許容する。
【００４０】
同様に、ＸＤ型メモリカード６４が、間違った向き、すなわち、図２４に示すように上下逆さまで差し込まれた場合、リブ８５ａがカードの前縁に当接して、間違った向きでカードがコネクタに差し込まれるのを阻止する。これにより、コネクタの端子が保護される。
【００４１】
図２５及び２６は、図２１に示す構成をわずかに変更したカード位置決め／エジェクタプレート４８の変形例を示す。図２５及び２６では、プレートの一方の前側角部に、突起９１の内側のストッパショルダ部９０の形態で阻止要素が形成されている。ＭＳ型メモリカード６０が、間違った向き、すなわち、図２６に示すように上下逆さまで差し込まれた場合、頑丈な面のストッパショルダ部９０がストッパショルダ部８１に当接して、間違った向きのカードがコネクタ内に差し込まれるのを阻止する。
【００４２】
最後に、図２７及び２８を参照すると、ＳＤ型メモリカード６２（図２７）は、案内フランジ９７を画定する両側の縁に沿って延在する溝９６を備えている。カードが正しい向きでコネクタに差し込まれた場合、案内フランジ９７が、絶縁性ハウジング３８の側壁部３８ｂ及び３８ｃの内側の溝９８内に入り込む。しかし、ＳＤ型メモリカード６２が、間違った向き、すなわち、図２７に示すように上下逆さまで差し込まれた場合、プレート４８上の突起９１がカードの前縁に設けられたリムに当接し、間違った向きでカードが差し込まれるのを阻止する。カードが正しい向きで差し込まれた場合、リムは下方に延在し、カード収容空間の底部に入る。
【００４３】
同様に、図２８を参照すると、ＸＤ型メモリカード６４は、案内リブ１００を形成するために両側の縁に溝９９を備えている。カードが正しい向きでコネクタに挿入された場合、案内リブ１００が、ハウジング３８の案内溝９８内に入り込む。しかし、カードが、間違った向き、すなわち、図２８に示すように上下逆さまで差し込まれた場合、プレート４８上の突起９１がカードの前縁に設けられたリムに当接し、間違った向きでカードがコネクタに差し込まれるのを阻止する。
【００４４】
本発明をその精神又は中心的な特徴から逸脱することなく他の特定の形態で実施することができることが分かるであろう。したがって、本実施例及び実施形態は、すべての点において例示的であり、限定的なものではないと考えなければならず、本発明は、本明細書に示した詳細に限定されない。
【図面の簡単な説明】
【００４５】
【図１】背景技術において記載した従来技術による従来のメモリカードコネクタの斜視図である。
【図２】本発明の第１実施形態によるメモリカードコネクタの上側から見た分解斜視図である。
【図３】第１実施形態の下側から見た分解斜視図である。
【図４】組み立てた状態の図２及び３に示すコネクタの上側から見た斜視図である。
【図５Ａ】ＭＳ型メモリカードに関連したコネクタのカード位置決めプレートの斜視図である。
【図５Ｂ】カード位置決めプレートに差し込まれたＭＳ型メモリカードの斜視図である。
【図６Ａ】図５Ａと同様の図であるが、ＳＤ型メモリカードを示す。
【図６Ｂ】図５Ｂと同様の図であるが、ＳＤ型メモリカードを示す。
【図７Ａ】図５Ａと同様の図であるが、ＸＤ型メモリカードを示す。
【図７Ｂ】図５Ｂと同様の図であるが、ＸＤ型メモリカードを示す。
【図８】図２と同様の図であるが、本発明の第２実施形態を示す。
【図９】図３と同様の図であるが、本発明の第２実施形態を示す。
【図１０】カバーを取り外し、ＭＳ型メモリカードを挿入した状態の第２実施形態の斜視図である。
【図１１】図１０と同様の図であるが、コネクタにＳＤ型メモリカードを挿入した状態の図である。
【図１２】図１０と同様の図であるが、コネクタにＸＤ型メモリカードを挿入した状態の図である。
【図１３】複数のメモリカードを収容するために複数のポート、すなわち、カード収容空間を有する第３実施形態の分解斜視図である。
【図１４】図１３の図の下側から上を見た分解斜視図である。
【図１５】組み立てた状態の図１３及び１４に示すコネクタの斜視図である。
【図１６】本発明の第４実施形態による頂部カバーの上側から見た斜視図である。
【図１７】本発明の第５実施形態によるメモリカードコネクタの、カバーを取り外した状態の上側から見た斜視図である。
【図１８】第５実施形態によるカード位置決めプレートの分解斜視図である。
【図１９】第５実施形態の別の上側から見た斜視図である。
【図２０】ＭＳ型メモリカードを収容した、図１８のカード位置決めプレートの上側から見た斜視図である。
【図２１】図２０と同様の図であるが、プレートが間違った向きでＭＳ型メモリカードを収容した状態を示す。
【図２２】本発明の第１実施形態のハウジングの下側から見た斜視図である。
【図２３】図２２と同様の図であるが、ＭＳ型メモリカードが間違った向きでハウジングに差し込まれた状態を示す。
【図２４】図２３と同様の図であるが、ＸＤ型メモリカードが間違った向きで差し込まれた状態を示す。
【図２５】本発明の第６実施形態によるカード位置決めプレートの上側から見た斜視図である。
【図２６】図２５のカード位置決めプレートを組み入れたメモリカードの斜視図であり、ＭＳ型メモリカードを間違った向きで収容した状態を示す。
【図２７】図２６と同様の図であるが、コネクタがＳ７４７Ｄ型メモリカードを間違った向きで収容した状態を示す。
【図２８】図２６と同様の図であるが、コネクタがＸＤ型メモリカードを間違った向きで収容した状態を示す。
【図１】
2005050792.tif 000003
【図２】
2005050792.tif 000004
【図３】
2005050792.tif 000005
【図４】
2005050792.tif 000006
【図５Ａ】
2005050792.tif 000007
【図５Ｂ】
2005050792.tif 000008
【図６Ａ】
2005050792.tif 000009
【図６Ｂ】
2005050792.tif 000010
【図７Ａ】
2005050792.tif 000011
【図７Ｂ】
2005050792.tif 000012
【図８】
2005050792.tif 000013
【図９】
2005050792.tif 000014
【図１０】
2005050792.tif 000015
【図１１】
2005050792.tif 000016
【図１２】
2005050792.tif 000017
【図１３】
2005050792.tif 000018
【図１４】
2005050792.tif 000019
【図１５】
2005050792.tif 000020
【図１６】
2005050792.tif 000021
【図１７】
2005050792.tif 000022
【図１８】
2005050792.tif 000023
【図１９】
2005050792.tif 000024
【図２０】
2005050792.tif 000025
【図２１】
2005050792.tif 000026
【図２２】
2005050792.tif 000027
【図２３】
2005050792.tif 000028
【図２４】
2005050792.tif 000029
【図２５】
2005050792.tif 000030
【図２６】
2005050792.tif 000031
【図２７】
2005050792.tif 000032
【図２８】
2005050792.tif 000033
【外国語明細書】
2005050792000001.pdf
2005050792000002.pdf
2005050792000003.pdf
2005050792000004.pdf